(57)【特許請求の範囲】
【請求項１】
炊飯物を入れる炊飯鍋と、前記炊飯鍋を加熱する加熱手段と、前記炊飯鍋内の内圧を調整する内圧調整装置と、前記加熱手段及び内圧調整装置を制御して炊飯工程を実行する制御装置とを含む圧力型炊飯器において、
前記内圧調整装置は、前記炊飯鍋内を大気圧を超える第１の圧力に保持すると共に、閉塞ロックして前記第１の圧力を超える圧力に保持する第１の内圧調整装置と、前記第１の圧力より高い第２の圧力に保持する第２の内圧調整装置とからなり、
前記制御装置は、炊飯時に前記第１、２の内圧調整装置を制御して、前記炊飯鍋内の内圧を前記第１、２の圧力間で調整して前記炊飯工程を実行することを特徴とする圧力型炊飯器。
【請求項２】
前記第１の圧力は、１．０５気圧以上１．０７５気圧以下の範囲であって、前記第１、２の圧力の圧力差は０．１３〜０．９５気圧の範囲にあることを特徴とする請求項１に記載の圧力型炊飯器。
【請求項３】
前記第１の内圧調整装置は、前記第１の圧力に閉塞保持する閉塞保持圧力を有する第一の調圧弁と、前記炊飯鍋内の内圧が前記第１の圧力に閉塞保持した前記閉塞保持圧力以上に上昇したときに前記第一の調圧弁が開放しない状態に前記閉塞ロック及び前記閉塞ロックを解除する第一調圧弁閉塞ロック機構と、を有し、
前記第２の内圧調整装置は、前記第２の圧力に閉塞保持する閉塞保持圧力を有する第二の調圧弁を有していることを特徴とする請求項１又は２に記載の圧力型炊飯器。
【請求項４】
前記制御装置は、前記炊飯工程の沸騰維持工程において、前記第一の調圧弁を閉塞ロック状態にして、前記炊飯鍋内を前記第１の圧力の前記閉塞保持圧力を超える所定圧力に加圧した後に、前記第一の調圧弁閉塞ロック機構により、前記第一の調圧弁の閉塞ロックを所定単位時間単位で少なくとも１回以上間歇的に解除し、及び炊飯工程の終了において、前記第二の調圧弁を強制的に開放させる制御手段を備えていることを特徴とする請求項３に記載の圧力型炊飯器。
【発明の詳細な説明】
【技術分野】
【０００１】
本発明は鍋内を大気圧以上に加圧して炊飯する圧力型炊飯器に係り、さらに詳しくは複数個の調圧弁を備え、これらの調圧弁の制御により、鍋内の圧力調整をして炊飯する圧力型炊飯器に関するものである。
【背景技術】
【０００２】
近年、この種の圧力型の炊飯器は、１個又は複数個の圧力弁を設けて、炊飯工程の沸騰維持工程において、鍋内を大気圧を超える圧力に加圧すると共に、この圧力弁を所定単位時間単位で間歇的に１乃至複数回開放して、この圧力弁の開放時に、鍋内に激しい沸騰現象を発生させて炊飯物を撹拌して炊飯するものが開発・製品化されて、既に、一般家庭などで使用されている。
【０００３】
例えば、下記特許文献１には、１個の圧力弁を設けた圧力調理器が記載されている。この圧力調理器は、調理鍋（内鍋）と、この調理鍋を収容する本体と、調理鍋を加熱する加熱手段（誘導加熱コイル）と、本体に開閉可能に取り付けて調理鍋の開口部を閉塞する蓋体と、その蓋体に設けて調理鍋内と連通する開口を閉塞する弁体（調圧ボール）および弁体を駆動して開口を閉塞させる駆動機構（ソレノイド）からなる圧力投入手段とを備えた圧力調理器、すなわち炊飯器となっている。この炊飯器には、前記圧力投入手段による調理鍋内への圧力投入時に、圧力弁を動作させて開口を間歇的に開放する開放手段（ソレノイド）を設けて、この開放手段による開口の開放時間と閉塞時間のデューティ比を設定することによって調理鍋内の圧力を調節するものとなっている。
【０００４】
また、下記特許文献２には、圧力弁の数を増やして２個の圧力弁を備えた圧力型の炊飯器が記載されている。この炊飯器は、蓋体に２個の弁、すなわち圧力調整弁と圧力抜き弁とを設けた圧力式炊飯器となっている。これらの圧力調整弁及び圧力抜き弁は、何れか一方の弁の口径を小さく他方の口径を大きくしたものとなっている。この炊飯器は、これらの口径の異なる弁、すなわち圧力弁を備え、小さい圧力弁（圧力調整弁）のみ、また大きい圧力弁（圧力抜き弁）のみ、或いは大小両方弁の３つの組合わせにより圧力弁を作動させて炊飯するものとなっている。この炊飯器は、炊飯中には選択された炊飯メニューのプログラムに従って圧力が抜かれるが、例えば、圧力抜き弁が開放状態にされると鍋内の圧力が一気に減圧される。そうすると、１、２乃至２．０気圧あった鍋の圧力が大気圧付近まで急激に低下し、沸点以上の温度に加熱されていた鍋内は爆発的な沸騰、すなわち突沸状態になって炊飯物が撹拌される。この撹拌によって、炊きムラなく美味しいご飯を短時間で炊き上げることができる。
【先行技術文献】
【特許文献】
【０００５】
【特許文献１】特開２００１−１３７１１３号公報（段落〔００２６〕〜〔００２９〕、図５）
【特許文献２】特開２００８−４８７６６号公報（段落〔００４２〕〜〔００４５〕、図３、図５）
【発明の概要】
【発明が解決しようとする課題】
【０００６】
上記特許文献１、２の圧力型の炊飯器は、１個又は複数個の圧力弁を備え、これらの圧力弁が炊飯中に強制的に開放されるので、鍋内の炊飯物が効率よく撹拌されて、美味しく炊き上がる。
【０００７】
しかしながら、これらの炊飯器は、いずれも美味しく炊き上がるので、一般家庭などに広く普及して来ているが、最近、以下の課題があることが判明した。
（イ）上記特許文献１、２の炊飯器は、いずれも圧力弁の開放時に鍋内の圧力が大気圧近傍まで降下するので、この降下に伴って、鍋内温度、すなわち炊飯物の温度も低下し、その結果、鍋内の炊飯物の一部に温度差が発生して、温度が低い部分の米のアルファー化が遅れて、芯ができてしまい炊きムラが発生することがあること。
（ロ）鍋内の温度が一度低下してしまうと、再度、ヒートアップして元の沸騰状態に戻すのに、大きな電力が必要となって、省エネルギー化の障害となること。
（ハ）このような炊飯器が標高の高いところで使用されると、標高の高い場所では、気圧が低下し沸騰温度が１００℃以下となるので、上記（イ）、（ロ）の影響が更に大きくなること。
【０００８】
そこで本発明は、このような従来技術が抱える課題を解決するためになされたもので、本発明の目的は、沸騰維持工程中に圧力を所定の単位時間単位で所定回数減圧させて炊飯する圧力型炊飯器において、沸騰維持工程中に圧力が減圧された際に、炊飯鍋内の圧力が降下しても、この降下する圧力値を大気圧を超える所定の設定値に設定して置くことにより、この設定値、すなわち従来技術のように大気圧近傍まで降下しないようにして、この鍋内圧の降下に伴う炊飯鍋内の温度の低下を抑えると共に炊飯物への影響を最小にして炊きムラを無くすることができる圧力型炊飯器を提供することにある。
【課題を解決するための手段】
【０００９】
上記発明の目的は、以下の構成によって達成できる。すなわち、本発明は、炊飯物を入れる炊飯鍋と、前記炊飯鍋を加熱する加熱手段と、前記炊飯鍋内の内圧を調整する内圧調整装置と、前記加熱手段及び内圧調整装置を制御して炊飯工程を実行する制御装置とを含む圧力型炊飯器において、
前記内圧調整装置は、前記炊飯鍋内を大気圧を超える第１の圧力に保持すると共に、閉塞ロックして前記第１の圧力を超える圧力に保持する第１の内圧調整装置と、前記第１の圧力より高い第２の圧力に保持する第２の内圧調整装置とからなり、
前記制御装置は、炊飯時に前記第１、２の内圧調整装置を制御して、前記炊飯鍋内の内圧を前記第１、２の圧力間で調整して前記炊飯工程を実行することを特徴とする。
【００１０】
また、本発明においては、前記第１の圧力は、１．０５気圧以上１．０７５気圧以下の範囲であって、前記第１、２の圧力の圧力差は０．１３〜０．９５気圧の範囲にあることを特徴とする。
【００１１】
また、本発明においては、前記第１の内圧調整装置は、前記第１の圧力に閉塞保持する閉塞保持圧力を有する第一の調圧弁と、前記炊飯鍋内の内圧が前記第１の圧力に閉塞保持した前記閉塞保持圧力以上に上昇したときに前記第一の調圧弁が開放しない状態に前記閉塞ロック及び前記閉塞ロックを解除する第一調圧弁閉塞ロック機構と、を有し、
前記第２の内圧調整装置は、前記第２の圧力に閉塞保持する閉塞保持圧力を有する第二の調圧弁を有していることを特徴とする。
【００１２】
また、本発明においては、前記制御装置は、前記炊飯工程の沸騰維持工程において、前記第一の調圧弁を閉塞ロック状態にして、前記炊飯鍋内を前記第１の圧力の前記閉塞保持圧力を超える所定圧力に加圧した後に、前記第一の調圧弁閉塞ロック機構により、前記第一の調圧弁の閉塞ロックを所定単位時間単位で少なくとも１回以上間歇的に解除し、及び炊飯工程の終了において、前記第二の調圧弁を強制的に開放させる制御手段を備えていることを特徴とする。
【発明の効果】
【００１３】
本発明は、第１の内圧調整装置は、第１の圧力に保持するように設定されているので、炊飯中に、第１の内圧調整装置の閉塞ロックが解除されても、炊飯鍋内の内圧がこの第１の圧力以下に降下せず、この内圧降下に伴う、炊飯鍋内の温度の低下が少なくなり、炊飯物の冷えを最小限に抑えることができるので、炊きムラなどを無くすることができる。さらに、第１の内圧調整装置は、閉塞ロックすることで鍋内の内圧を第１の圧力の閉塞保持圧力を超えた状態で保持され、また、第２の内圧調整装置の第２の圧力は、第１の圧力より高く設定されているので、この圧力値により、炊飯時の鍋内の上限圧力値を設定できる。
【００１４】
また、第１の圧力が、大気圧から所定圧力値超えた１．０５気圧以上１．０７５気圧以下の範囲とされており、第２の圧力が、第１の圧力より０．１３〜０．９５気圧高い範囲にあることで、両者の圧力差が大きくなり、第１の内圧調整装置の閉塞ロックが解除されたときに、鍋内に突沸現象を発生させることができる。
【００１５】
また、第一調圧弁閉塞ロック機構が解除されても、この第一の調圧弁が大気圧を超える所定の圧力に保持する閉塞保持圧力を有しているので、炊飯鍋内の内圧は、この閉塞保持圧力の圧力値より下方へ低下することがない。また、閉塞ロックすることで、第一の調圧弁は、第１の圧力に閉塞する閉塞保持圧力を超えても開成されることなく鍋の内圧が上昇し、鍋内の圧力が上昇しても、第二の調圧弁が閉成されているので、この内圧は第二の調圧弁の第２の圧力に閉塞する閉塞保持圧力まで上昇するようになる。
【００１６】
また、沸騰維持工程において、第一の調圧弁の閉塞ロックが間歇的に解除されることによって、この第一の調圧弁が炊飯鍋内の圧力によって開成され、この第一の調圧弁の開成により、炊飯鍋内に突沸現象が発生して炊飯物が効率よく撹拌されるので、炊きムラが無くなり美味しい炊き上がりとなる。また、この沸騰維持工程において、第一調圧弁閉塞ロック機構が解除されても、この第一の調圧弁が大気圧を超える所定の圧力に保持する閉塞保持圧力を有しているので、炊飯鍋内の内圧は、この閉塞保持圧力の圧力値より下方へ低下することがない。例えば、閉塞保持圧力が１．０５気圧に設定してあると、この１．０５気圧以下に低下しないので、従来技術の炊飯器が大気圧近傍まで低下することによる課題、すなわち、（イ）鍋内の圧力が大気圧近傍まで低下するのに伴って、鍋内温度、すなわち、炊飯物の温度も低下し、そのために、鍋内の炊飯物に温度差が発生し、温度が低い部分の米のアルファー化が遅れて芯ができてしまい炊飯物に炊きムラが発生すること、（ロ）鍋内温度が一度低下してしまうと、再度、ヒートアップして元の沸騰状態に戻すのに、大きな電力が必要となってしまい省エネルギー化の障害となること、（ハ）このような炊飯器が標高の高いところで使用されると、標高の高い場所では、気圧が１気圧以下に低下すると共に、沸騰温度が下るので、上記（イ）、（ロ）の影響が更に大きくなることなどを解消できる。また、炊飯工程の終了、例えば、蒸らし工程後に、第二の調圧弁を強制的に開放することによって、炊飯鍋内が負圧にならないので、蓋の開成が容易になるとともに安全性が向上する。
【図面の簡単な説明】
【００１７】
【図１】図１は本発明の実施形態に係る圧力型炊飯器の正面図である。
【図２】図２は図１の炊飯器の化粧カバーを取外した状態の蓋体の平面図である。
【図３】図３は図２の矢印Ａ方向からみた第１の内圧調圧装置の拡大図である。
【図４】図４は図２のIV−IV線に沿って図１の炊飯器を切断した断面図である。
【図５】図５は図４の第１の内圧調圧装置を拡大した断面図である。
【図６】図６は図２のVI−VI線で切断した断面図である。
【図７】図７は図６の第２の内圧調圧装置を拡大した断面図である。
【図８】図８は制御装置のブロック図である。
【図９】図９は複数の炊飯メニューの炊飯フローチャート図である。
【図１０】図１０は炊飯メニュー「白米・ふつう」の炊飯工程における鍋内の温度・圧力の変化を示した炊飯特性曲線図である。
【図１１】図１１は炊飯メニュー「白米・あまみ」の炊飯工程における鍋内の温度・圧力の変化を示した炊飯特性曲線図である。
【図１２】図１２は炊飯メニュー「白米・あっさり」の炊飯工程における鍋内の温度・圧力の変化を示した炊飯特性曲線図である。
【図１３】図１３は炊飯メニュー「すしめし」の炊飯工程における鍋内の温度・圧力の変化を示した炊飯特性曲線図である。
【発明を実施するための形態】
【００１８】
以下、図面を参照して本発明の実施形態に係る圧力型炊飯器を説明する。但し、以下に示す実施形態は、本発明の技術思想を具体化するための圧力型炊飯器を例示するものであって、本発明をこの炊飯器に特定することを意図するものではなく、特許請求の範囲に含まれるその他の実施形態のものにも等しく適応し得るものである。
【００１９】
図１〜図７を参照して、本発明の実施形態に係る圧力型炊飯器の構造を説明する。なお、図１は本発明の実施形態に係る圧力型炊飯器の正面図、図２は図１の炊飯器の化粧カバーを取外した状態の蓋体の平面図、図３は図２の矢印Ａ方向からみた第１の内圧調圧装置の拡大図、図４は図２のIV−IV線に沿って図１の炊飯器を切断した断面図、図５は図４の第１の内圧調圧装置を拡大した断面図、図６は図４と同様に図２のVI−VI線で切断した断面図、図７は図６の第２の内圧調圧装置を拡大した断面図である。
【００２０】
本発明の実施形態に係る圧力型炊飯器１０は、図１、図４、図６に示すように、米と水とを含む所定量の炊飯物を入れる炊飯鍋（以下、鍋という）２０と、この鍋を収容して該鍋を加熱する加熱手段を設けた炊飯器本体（以下、本体という）１１と、鍋２０の加熱温度を検出する鍋底温度検出手段１５と、鍋及び本体の開口を塞ぐ蓋体２１と、この蓋体に設けて鍋内の内圧を調整する２組の第１、第２の内圧調整装置ＰＶ１、ＰＶ２と、所望の炊飯メニューを選定する炊飯メニュー設定キー６１ｂ（図８参照）と、炊飯メニューに対応した炊飯プログラムを内蔵しこの炊飯プログラムに従い加熱手段及び第１、第２の内圧調整装置ＰＶ１、ＰＶ２などを制御して、一連の炊飯工程を実行する制御装置６２（図８参照）とを備えている。加熱手段は底部ヒータ１４ａ及び側部ヒータ１４ｂなど及び鍋底温度検出手段はサーミスタ等からなるセンサ１５となっている。
【００２１】
第１、第２の内圧調整装置ＰＶ１、ＰＶ２のうち、第１の内圧調整装置ＰＶ１は、図４に示すように、鍋２０内を大気圧を超える所定の設定圧力値に保持する閉塞保持圧力を有する第一の調圧弁２５と、この第一の調圧弁が鍋内の内圧が前記閉塞保持圧力を超えてもこの内圧で開放しないように閉塞状態を維持してロックして置く第一調圧弁閉塞ロック機構３８とを有している。この第一の調圧弁２５の設定閉塞保持圧力は、大気圧を超える圧力値であれば任意の値でよいが、大気圧（１．０気圧）に近いと第一調圧弁閉塞ロック機構３８で第一の調圧弁２５の閉塞ロックが解除されたときに鍋２０内の圧力が過度に下がり過ぎて鍋内の温度が低下し炊飯物が冷えることがあるので、この大気圧（１．０気圧）から所定圧力値超えた例えば１．０５気圧（ａｔｍ）以上１．０７５気圧の範囲に設定するのが好ましい。この圧力値の設定は、後述するが第一の調圧弁を構成する弁口の大きさ又はこの弁口を自重で塞ぐ調圧ボールの重さを調節して行う。
【００２２】
第２の内圧調整装置ＰＶ２は、図６に示すように、第一の調圧弁２５の閉塞保持圧力より高い閉塞圧力の第二の調圧弁２９と、この第二の調圧弁を強制的に開放する第二調圧弁開放機構５２とを有している。この第二の調圧弁２９の閉塞保持圧力は、第一の調圧弁２５の閉塞保持圧力１．０５気圧より高い値、例えば．１．２気圧（ａｔｍ）以上に設定されている。第二の調圧弁２９の閉塞保持圧力は、第一の調圧弁２５の閉塞保持圧力を超える圧力値であれば任意の値でよいが、第一の調圧弁２５の閉塞保持圧力１．０５〜１．０７５気圧に近いと、両者の圧力差が少なくなり、第一の調圧弁が開放されたときに、鍋内に発生する突沸現象が大きくならず、そのために炊飯物の撹拌が不足するので、この圧力値より高い値、例えば、１．２気圧以上２．０気圧の範囲が好ましい。この圧力値の設定は、後述するが第二の調圧弁を構成する弁口の大きさ又はこの弁口を自重で塞ぐ調圧ボールの重さを調節して行う。なお、第一、第二の調圧弁は，従来技術でいう「圧力弁」となっている。
【００２３】
炊飯メニューは、白米・ふつう、白米・うまみ、白米・あっさり、すしめしなどとなっている（図９参照）。
【００２４】
一連の炊飯工程は、図９の炊飯メニュー「白米・ふつう」に示すように、鍋内の米に所定量の水を吸水させる吸水工程、吸水後に鍋内を一気に加熱して沸騰させる立上加熱工程、この沸騰状態を維持して米のデンプンを糊化させて炊き上げる沸騰維持工程、この炊き上ったご飯から余分な水分を除去するとともに糊化をさらに促進させる蒸らし工程などを含む工程となっている。沸騰維持工程では、鍋２０内が大気圧を超える圧力に加圧されると共に、第１の内圧調整装置ＰＶ１の第一の調圧弁２５の閉塞ロックを所定の単位時間単位で間歇的に所定回数解除して、鍋２０内に激しい沸騰現象、すなわち突沸現象を生じさせて炊飯物を撹拌して炊き上げるようになっている。他の炊飯メニューも同じような炊飯工程で炊飯される。
【００２５】
この構成の炊飯器１０は、沸騰維持工程において、第一の調圧弁２５の閉塞ロックが間歇的に解除されることによって、この第一の調圧弁２５が炊飯鍋内の圧力によって開成され、この第一の調圧弁の開成により、炊飯鍋２０内に突沸現象が発生して炊飯物が効率よく撹拌されるので、炊きムラが無くなり美味しい炊き上がりとなる。また、この沸騰維持工程において、第一の調圧弁２５が開成されても、この第一の調圧弁が大気圧を超える所定の圧力に保持する閉塞保持圧力を有しているので、鍋内の内圧は、この閉塞保持圧力の圧力値より下方へ降下することがない。例えば、閉塞保持圧力が１．０５気圧に設定してあると、この１．０５気圧以下に降下しないので、従来技術の炊飯器が大気圧近傍まで低下することによる課題、すなわち、上述したような、（イ）鍋内の圧力が大気圧近傍まで低下するのに伴って、鍋内温度、すなわち、炊飯物の温度も低下し、そのために、鍋内の炊飯物の一部に温度差が発生し、温度が低い部分の米のアルファー化が遅れて芯ができてしまい炊飯物に炊きムラが発生すること、（ロ）鍋内温度が一度低下してしまうと、再度、ヒートアップして元の沸騰状態に戻すのに、大きな電力が必要となってしまい省エネルギー化の障害となること、（ハ）このような炊飯器が標高の高いところで使用されると、標高の高い場所では、気圧が１気圧以下に低下すると共に沸騰温度が下がるので、上記（イ）、（ロ）の影響が更に大きくなることなどを解消できる。
【００２６】
また、炊飯初期の吸水工程でも少しだけ所定の圧力をかけて吸水させることも出来るし、沸騰状態では十分大きな圧力をかけるなど、多彩なメニュー編成が可能となる。また沸騰維持工程の初期段階で閉塞ロックを所定回数間歇的に解除することによって、水分が十分ある段階で高低２種類の気圧間を鍋の中に生じさせることが出来、低い圧力に移行する勢いを利用して鍋内の炊飯物を撹拌させる事ができる。これによって炊飯物の均一な加熱が行える。そしてまた、沸騰維持工程の後半部では炊飯メニューに応じ閉塞ロック機構の切り替えにより自在な圧力設定が出来るので、高い圧力で保持する場合は軟らかい炊き上がり、低い圧力で保持する場合は硬い炊き上がりになり、炊き上がりのバラエティーを広げることも可能になる。
【００２７】
以下、この炊飯器の個々の構成を詳述する。
【００２８】
本体１１は、図４、図６に示すように、上方に所定大きさの開口を有し深底箱型の外部ケース１２と、この外部ケース１２内にあって鍋２０を支える内部ケース１３とからなり、外部ケース１２と内部ケース１３との間に隙間が形成されて、この隙間に制御装置６２（図８参照）を構成する制御回路基板１９などが配設されている。外部ケース１２は、上方の開口部付近が略楕円形状をなしており、この楕円形状の上方部の長手方向の一端部に蓋体２１を枢支する枢支部１６、他端部に蓋体２１が炊飯中に開放されないように係止ロックされる鎖錠爪１７及びこの係止ロックを解除して蓋体２１を開く解除釦１８が設けてある。内部ケース１３には、深底の容器からなる鍋２０が収容される。この鍋２０は、アルミニウムとステンレスとのクラッド材で形成されている。また、この内部ケース１３は、その底部１３ａ及び側部１３ｂにそれぞれ底部ヒータ１４ａ及び側部ヒータ１４ｂが設けられ、底部１３ａに鍋底温度を検知するサーミスタ等からなる鍋底温度センサ１５が設けられている。底部ヒータ１４ａには環状に巻装した電磁誘導コイルが使用されている。
【００２９】
蓋体２１は、図２、図４、図６に示すように、鍋２０の開口部を密閉する内蓋２２と、この内蓋が着脱自在に装着されて本体１１の開口部を覆う中蓋３３と、この中蓋の上部を覆い表示パネルなどが設けられておねば貯留タンク６０が着脱自在に装着される外蓋５８等とを有している。外蓋５３は、化粧蓋となっている。この蓋体２１は、中蓋３３の一側に本体１１の枢支部１６に枢支されるヒンジ機構３４、３５、他側に本体１１の鎖錠爪１７に係止ロックする蓋ロック手段３６が設けてある。
【００３０】
内蓋２２は、図４、図６に示すように、鍋２０の開口部を密閉する大きさの円盤状体からなり、その外周縁に気密パッキン２３ａが装着されている。この内蓋２２は、略中央部付近に、第一、第二の調圧弁２５、２９及び鍋内の圧力が異常に上がったときに開放する安全弁２４ａ、鍋内が負圧になったときに開成しておねば貯留タンク６０に貯留されたおねばを鍋内へ戻す負圧弁２４ｂが配設されている。これらの安全弁２４ａ及び負圧弁２４ｂは、既存のものを使用しこれらは既に公知であるので説明を省略する。また、第一、第二の調圧弁の構造などは、第１、第２の内圧調整装置ＰＶ１、ＰＶ２で後述する。
【００３１】
中蓋３３は、図２に示すように、本体１１の開口部を塞ぐ大きさの楕円形状体からなり、機械的強度が高いフレームなどで補強されている。この中蓋３３は、その略中央部に、第一調圧弁閉塞ロック機構３８、第二調圧弁開放機構５２及びおねば貯留タンク６０が装着される装着孔３７が設けてある。なお、この中蓋３３には、結露を防止する蓋ヒータ及び蒸気温度を検知する蒸気温度センサ（図示省略）などが取り付けられている。
【００３２】
主に図２〜図７を参照して、第１、第２の内圧調整装置ＰＶ１、ＰＶ２を説明する。まず、主に図５を参照して第１の内圧調整装置ＰＶ１を説明する。なお、図５は第１の内圧調整装置ＰＶ１を示し、図５Ａは第一の調整弁の非閉塞ロック状態、図５Ｂは閉塞ロックの解除状態を示している。
【００３３】
この内圧調整装置ＰＶ１は、図３〜図５に示すように、第一の調圧弁２５と、この調圧弁の弁口を閉塞しその閉塞が内圧の上昇によって開成しないようにこの閉塞状態を保持ロックする第一調圧弁閉塞ロック機構３８とを有し、第一の調圧弁２５は内蓋２２に、第一調圧弁閉塞ロック機構３８は中蓋３３に設けた取付け基板３３Ａにそれぞれ設けられている。第一の調圧弁２５は、所定の口径２６ａ’の弁孔２６ａが形成された弁座２６と、この弁孔２６ａの口径２６ａ’を塞ぐように弁座２６上に載置される金属製の調圧ボール２８と、この調圧ボール２８が外へ転がり落ちないように規制するカバー２７とを有し、このカバー２７に排気孔２７ａが形成されている。この第一の調圧弁２５は、鍋２０内を大気圧を超える所定の圧力値に保持する閉塞保持圧力１．０５気圧（ａｔｍ）に設定されている。この設定は、弁口の大きさ及び調圧ボールの重さで設定する。例えば、第一の調圧弁２５は、口径２６ａ’が４．６ｍｍ、調圧ボール２８の直径を１２．７ｍｍ及びその重量が８．５０５ｇ（比重７．９３）にして、閉塞保持圧力が１．０５気圧（ａｔｍ）になっている。この閉塞保持圧力１．０５気圧（ａｔｍ）は、非閉塞ロック状態であるが、調圧ボールを押さえた閉塞ロック状態では、押さえ力６５ｇをプラスして、ロック状態の閉塞保持圧力は１．４４気圧（ａｔｍ）になっている。
【００３４】
また、排気孔２７ａは、金属製の調圧ボール２８が鍋２０内の圧力により押上げられて弁孔２６ａの口径２６ａ’が開成したときに、鍋２０内の蒸気及びおねばを排出するものとなっている。
【００３５】
また、第一調圧弁閉塞ロック機構３８は、図５に示すように、第一の調圧弁２５の閉塞状態をロック及びこの閉塞ロック状態を解除するロック・解除作動部材３９と、このロック・解除作動部材を作動させる駆動装置４６とを有している。ロック・解除作動部材３９は、一端部（下方端）４０ｂが調圧ボール２８を所定の押圧力で押圧してこの調圧ボールの持ち上がりを阻止（ロック）する押圧棒４０と、この押圧棒を押圧降下させる揺動アーム４２とを有している。この揺動アーム４２は、略中央部が固定枠４５に支軸４３で枢支されて揺動自在となっており、その一端部４２ａが押圧棒４０の他端部（上方端）４０ａに当接するようにすると共に、他端部４２ｂがスライド枠体５０に当接するようにしてバネ体４４で付勢されている。このバネ体４４は、支軸４３に装着して、揺動アーム４２を図５の時計方向に回動するように付勢している。押圧棒４０は、このバネ体４４の付勢力で揺動アーム４２を回動させて押圧される。すなわち、ロック状態の閉塞力はバネ体によって設定される。
【００３６】
また、押圧棒４０は、固定枠４５内にあって、押圧棒４０の下方端部４０ｂ部分が、この押圧棒４０が持ち上がるように付勢する弾性体からなる密閉パッキン４１が固定枠４５に固定されている。この密閉パッキン４１は、所定直径の弾性を有する円盤体からなり、外周縁に取付け部を有して、この取付け部で中蓋に固定されている。密閉パッキン４１は、円盤体の中央に突出部が設けられて、この突出部に押圧棒４０の下方端部４０ｂ部が固定されている。すなわち、密閉パッキン４１は、その弾性を利用して、図５に示す取付け状態で、押圧棒４０を上方へ押上げると共に、下方向へも押動されることができ、かつ中蓋３３の開口を密閉する働きをするものとなっている。なお、この実施形態では、ロック状態の閉塞力は、揺動アーム４２を回動させるバネ体によって設定するようにしたが、この構成に限定されることなく、調圧ボールを所定の押圧力で押さ付けるのであれば、任意の機構を用いてもよい。
【００３７】
駆動装置４６は、図３、図５に示すように、電磁コイルが巻回されたシリンダ４７と、このシリンダ内にあって電磁コイルの励磁により引込められるプランジャ４８とを有し、プランジャ４８の先端部に、このプランジャを所定長さ引き出す伸張コイルバネ４９が装着されている。この伸張コイルバネ４９は、その先端がスライド枠体５０に固定されて、このスライド枠体５０は取付け基板３３Ａ上にスライド移動自在に固定されている。スライド枠体５０は、取付け基板３３Ａ上をスライド移動自在なスライド台５０ａと、このスライド台の一側面にあって揺動アーム４２の下方端４２ｂ当接して押動する押動部５０ｂとを有している。この下方端４２ｂと押動部５０ｂとは、押動部５０ｂの両端、すなわち、図３の前方と奥方とに一対の対向する腕突起を設けて、これらの腕突起間に弾性湾曲可能な細金属線５１を懸架し、この細金属線５１に揺動アーム４２の下方端４２ｂが引っ掛かるようにして連結されている。この連結は、一種の緩衝機構或いは緩衝手段となっている。
【００３８】
この構成によると、プランジャ４８が電磁コイルの励磁にシリンダ内に引込められたときに、揺動アーム４２の下方端４２ｂが細金属線５１に当接して、この下方端４２ｂがシリンダ方向へ引っ張られる。この引っ張りの際に、細金属線５１が弾性湾曲可能になっているので、揺動アーム４２との間に無理な力が加わらず若干の余裕ができるので、駆動装置４６とロック・解除作動部材３９との連結・調整が容易になる。すなわち、この作動時に、揺動アーム４２は、支軸４３を支点に揺動（シーソー）動作されて、駆動装置４６の進退動作の許容動作範囲以上のストロークが確保でき押圧棒４０で押圧する調圧ボール２８との余裕を取ることが可能となり、駆動装置４６の取付け位置にも余裕が取れる。なお、緩衝機構は、弾性湾曲可能な細金属線５１を用いたもので構成したが、他の緩衝機構乃至手段で構成してもよい。
【００３９】
この第１の内圧調整装置ＰＶ１は、制御装置によって制御されて、以下の（ａ）〜（ｃ）の作用をする。
（ａ）第一調圧弁非閉塞ロック状態
この非閉塞ロック状態では、駆動装置４６の電磁コイルが無励磁状態にある。図５Ａに示すように、シリンダ４７が伸張コイルバネ４９の伸長力により、スライド台５０ａをロック・解除作動部材３９の揺動アーム４２の下方端４２ｂに当接すると共に、バネ体４４のバネ力に打ち勝って、この揺動アーム４２の上方４２ａで押圧棒４０を下方へ押し下げることがない。その結果、押圧棒４０は、密閉パッキン４１で上方へ持上げられて、第一の調圧弁２５は調圧ボール２８の自重により弁口２６ａ’が閉塞される。弁口２６ａ’が調圧ボール２８で閉塞されると、炊飯中は、鍋内の圧力が閉塞力、すなわち、設定値１．０５気圧以下になることがない。
（ｂ）第一調圧弁閉塞ロック状態
この状態は、駆動装置４６の電磁コイルが励磁される。図５Ｂに示すように、シリンダ４７が伸張コイルバネ４９の伸長力に抗して引かれると共に、揺動アーム４２がバネ体４４の付勢力により図５Ｂの時計方向へ回動する。揺動アーム４２の回動により、その上方端４２ａで押圧棒４０を下方へ押下げて、調圧ボール２８に当接させて押圧し、この調圧ボールを弁口２６ａ’に押し付けて、閉塞状態を保持、すなわち、ロックする。その結果、第一の調圧弁２５は、設定値（１．０５気圧）を超えても開成されることなく鍋の内圧が上昇する。なお、鍋内の圧力が上昇しても、第二の調圧弁２９が閉成されているので、この内圧は第二の調圧弁２９の閉塞保持圧力まで上昇する。
（ｃ）第一調圧弁閉塞ロック状態の解除
駆動装置４６の電磁コイルへの励磁が無くなると、シリンダ４７が伸張コイルバネ４９の伸長力により、その先端部が揺動アーム４２の下方端４２ｂに当接して、バネ体４４により揺動アーム４２が図５の反時計方向へ回動する。これにより、押圧棒４０が密閉パッキン４１の復元力により持上げられて、調圧ボール２８から離れて、上記（ａ）の非閉塞ロック状態となる。その結果、鍋内の圧力が設定値１．０５気圧より高いと、この内圧により第一の調圧弁２５が開成される。また、鍋内の圧力が設定値１．０５気圧を超えないと、閉塞状態が保持される。このロック解除は、沸騰維持工程において、炊飯メニューに応じて、所定の回数実施される。なお、この第１の内圧調整装置ＰＶ１は、駆動装置４６と第一調圧弁閉塞ロック機構３８とが緩衝機構を介して連結されているので、駆動装置と第一調圧弁閉塞ロック機構との連結・調節が容易になるとともに、第一の調圧弁の開成乃至閉成をスムーズに行える。
【００４０】
主に図７を参照して、第２の内圧調整装置ＰＶ２を説明する。なお、図７は第２の内圧調整装置ＰＶ２を示し、図７Ａは第二の調整弁が強制的に開放された状態を示し、図７Ｂは第二の調整弁が閉成された状態を示している。
【００４１】
この内圧調整装置ＰＶ２は、第一の調圧弁より高い閉塞保持圧力を有する第二の調圧弁２９と、この調圧弁を強制的に開放させる第二調圧弁開放機構５２とを有し、第二の調圧弁２９は内蓋２２に、第二調圧弁開放機構５２は中蓋３３に設けた取付け基板３３Ａにそれぞれ設けられている。第二の調圧弁２９は、所定の口径３０ａ’の弁孔３０ａが形成された弁座３０と、この弁孔３０ａの口径３０ａ’を塞ぐように弁座３０上に載置される金属製の調圧ボール３２と、この調圧ボール３２の移動を規制することで弁座３０上に調圧ボール２８を保持するカバー３１とを有し、カバー３１に排気孔３１ａが形成されている。この第二の調圧弁２９の閉塞保持圧力は、弁口の大きさ及び調圧ボールの重さで設定する。例えば、調圧ボールの直径を１９．８４ｍｍ、調圧ボールの重量を３２．４４５ｇ（比重７．９３）及び弁座の弁口（直径）を３．７ｍｍにして、閉塞力１．３気圧（ａｔｍ）にする。この閉塞保持圧力は、第一の調圧弁の閉塞力１．０５気圧より高くなっている。第二の調圧弁２９の閉塞保持圧力は、１．３気圧（ａｔｍ）に限定されるものでなく、それ以上、例えば、２．０気圧にしてもよい。
【００４２】
また、排気孔３１ａは、第二の調圧弁２９が強制的に開放されたときに、鍋２０内の蒸気を排出するものとなっている。また、第二調圧弁開放機構５２は、電磁コイルが巻回されたシリンダ５３と、このシリンダ内から電磁コイルの励磁により入出し調圧ボール３２を移動させるプランジャ５４と、プランジャの先端が固定されたスライド枠体５６と、シリンダの一端部とスライド枠体との間にあってプランジャ５４の先端を所定長さ突出させる伸張バネ体５５とを有し、スライド枠体５６は、取付け基板３３Ａ上にスライド移動自在に固定されている。スライド枠体５６は、取付け基板３３Ａ上をスライド移動するスライド台５６ａと、このスライド台の上方にあってプランジャの先端が固定される固定片５６ｂ及びこの固定片から前方へ突出して調圧ボールに先端部が当接する突出棒５６ｃとを有している。突出棒５６ｃは、その先端が密閉パッキン５７に固定されている。密閉パッキン５７は、所定直径の弾性を有する円盤体からなり、外周縁に取付け部を有して、この取付け部でカバー体に固定されている。密閉パッキン５７は、円盤体の中央に突出部が設けられて、この突出部の一方端に突出棒５６ｃの先端が固定され他端が調圧ボールに当接するようになっている。すなわち、密閉パッキン５７は、弾性を利用して、取付け状態で水平方向へ動くことができると共に、カバーの開口を密閉する働きをするものとなっている。
【００４３】
この内圧調整装置ＰＶ２は、制御装置６２により制御される。すなわち、制御装置６２からの指令に基づき、電磁コイルが励磁される。この励磁により、プランジャ５４がシリンダ５３に引込められる。これにより、調圧ボール３２はその自重により転動して弁口３０ａ’を閉塞する。また、この状態から、電磁コイルが無励磁になると、シリンダ５３が伸張バネ体５５の伸長力により、前方へ引き出されて調圧ボール３２が押動されて調圧弁が開成する。
【００４４】
この実施形態では、第一、第二の調圧弁は、調圧ボールの重さで圧力調整するようにしたが、この方法に限らず、弁口の口径の大きさをそれぞれ変える方法とすれば、ボールの重さは同じでも、異なる圧力の設定が可能となる。例えば重さ１１．０ｇで、直径１４．０のボールを、調圧ボール５２，６２に使用した場合に弁口の口径４〜５ｍｍで圧力１．０５気圧前後が得られ、さらに排気口６１の口径を、２〜３．０ｍｍとすると圧力１．３０気圧前後を得ることが出来る。
【００４５】
外蓋５８は、中蓋３３を覆い化粧カバーで構成されている。この外蓋５８には、表示操作部５９が設けられると共に、おねば貯留タンク６０が着脱自在に装着される。表示操作部５９は、図１に示すように、各種の炊飯選択コース及び時刻等が表示される表示パネルと、この表示パネルの周辺に複数個のスイッチ操作釦が設けられている。これらのスイッチ操作釦は、炊飯器を作動させる炊飯／スタート釦（キーともいう、以下同じ）、炊飯予約をする炊飯予約釦、炊飯等の設定を取消す取消／保温釦、炊飯する米を選択するお米選択釦、炊飯メニューを選択するメニュー選択釦、コースを選択するコース釦、及び表示パネルに表示されたメニュー等を選択・決定するシフトキーなどとなっている。これらの釦（キー）は、押し釦式のスイッチを構成する操作釦等であって、これらの釦（キー）を押圧することにより、各種操作がなされるようになっている。
【００４６】
また、貯留タンク６０は、図４、図６に示すように、その内部におねばを一時貯留する空間６０ａと、蒸気を外部へ逃す蒸気口と、タンク弁と、中空筒状接続部６０ｂとを有し、この中空筒状接続部６０ｂが装着孔３７に嵌入装着されるようになっている。なお、おねばは粘り気のある糊状の汁であって、この糊状の汁は旨み成分を含んでおり、このおねばをそのまま外へ排出されてしまうとご飯が美味しく炊きあがらない。そこで、このおねばを貯留する貯留タンク６０を設けて、この貯留タンクにおねばを一時貯留しておき、鍋７内の加熱が終了して鍋７内が負圧になったときにおねばを鍋内に戻すことで美味しく炊きあげることができる。
【００４７】
図８を参照して、制御装置６２を説明する。なお、図８は制御装置を構成するブロック図である。
【００４８】
制御装置６２は、図８に示すように、種々の演算処理を行うＣＰＵ、各種データの記憶を行うＲＯＭおよびＲＡＭからなる記憶手段、選択された炊飯メニューを検出する炊飯メニュー検出回路、第一、第二の調圧弁の開閉時間を設定する弁開閉タイマー、第一、第二の調圧弁の開閉回数をカウントするカウンタと、炊飯量を判定する量判定手段と、加熱手段を制御する加熱制御回路、表示パネルに表示される表示画面を制御する表示パネル制御回路、第一、第二の調圧弁を制御する調圧弁制御手段などを備えている。記憶手段には、各種の炊飯メニューに対応した炊飯プログラムが記憶されている。この炊飯プログラムは、各炊飯メニューに共通で、吸水工程、立上加熱工程、沸騰維持工程、追い炊き工程及び蒸らし工程などとなっている。この制御装置６２は、入力側に、炊飯スタートキー、炊飯メニュー設定キー、鍋底温度センサ及び蒸気温度センサなど、出力側にヒータ（加熱手段）、表示パネル。第一、第二の調圧弁を制御する第１、第２の内圧調整装置ＰＶ１、ＰＶ１などが接続されている。なお、ヒータは、鍋底ヒータ、側面ヒータおよび蓋ヒータとなっている。
【００４９】
図８及び図９〜図１３を参照して、各種炊飯メニューの炊飯工程を説明する。なお、図９は複数の炊飯メニューの炊飯フローチャート図、図１０は炊飯メニュー「白米・ふつう」の炊飯工程における鍋内の温度・圧力の変化を示した炊飯特性曲線図、図１１は炊飯メニュー「白米・あまみ」の炊飯工程における鍋内の温度・圧力の変化を示した炊飯特性曲線図、図１２は炊飯メニュー「白米・あっさり」の炊飯工程における鍋内の温度・圧力の変化を示した炊飯特性曲線図、図１３は炊飯メニュー「すしめし」の炊飯工程における鍋内の温度・圧力の変化を示した炊飯特性曲線図である。
【００５０】
各種の炊飯メニューの白米・ふつう、白米・あまみ、白米・あっさり、すしめしが表示パネルに表示される。ユーザーがこの表示パネルをみて炊飯メニュー設定キー６１ｂを操作し所望の炊飯メニューを選定する。
【００５１】
図９、図１０を参照して、白米・ふつうを選択した場合の炊飯工程を説明する。まず、鍋２０に所定量の水と白米とを入れ、この鍋を本体１１の内部ケース１３内にセットした（ステップＳ１０１）後に、炊飯メニュー「白米・ふつう」を選択して（Ｓ１０２〜Ｓ１０３）、制御装置６２は、一連の炊飯工程を実行する。この制御装置は、吸水工程の開始前に、第一の調圧弁２５を「閉」にして吸水工程を実行する。第一の調圧弁２５は、その自重により弁口が閉じられるが第一調圧弁閉塞ロック機構３８が作動していない。第二の調圧弁２９も「閉」にされる（Ｓ１０４）。吸水工程は、加熱手段（底部ヒータ１４ａ）への通電を行って鍋２０内の温度を所定の吸水温度（６０℃）にして所定の吸水時間を掛けて米に所定量の水を吸水させる（Ｓ１０５）。この吸水工程では、鍋内の圧力は略大気圧になっている。なお、吸水工程で鍋内の圧力を１．０５気圧までアップして吸水させてもよい。
【００５２】
吸水工程が終了した後に、立上加熱工程へ移行する。この立上加熱工程では、第一調圧弁閉塞ロック機構３８を作動させて、第一の調整弁２５を閉塞ロック（Ｓ１０６）して加熱手段（１４ａ、１４ｂ）へフルパワー通電を行って鍋２０内を加圧状態にして鍋内を沸騰状態にする（Ｓ１０７）。蓋体２１に設置した蒸気温度センサで蒸気温度を検知し、この蒸気温度が所定温度（７５℃）に達したときに次の沸騰維持工程へ移行させる。なお、この立上加熱工程では、図１０に示すように、鍋２０内の圧力が１．３気圧に向かって加圧される。
【００５３】
沸騰維持工程（Ｓ１０８）では、所定の沸騰維持電力で鍋内を沸騰状態に維持する。この沸騰維持工程では、沸騰を検出した後、所定時間、例えば２０秒経過した後に、制御装置６２は、駆動装置４６を介して第一調圧弁閉塞ロック機構３８を作動させて、第一調圧弁２５の閉塞ロックを所定の単位時間で複数（３〜５回以上）回間歇的に解除・ロックを繰り返させる（Ｓ１０９）。この解除・ロック操作は、鍋内の高低圧によって時間を異ならせておこない、低圧に比べ高圧の時間が長くなるように設定される。この設定は、第一町圧弁の閉塞ロックが解除される低圧の時間をｔ１、閉塞ロックされる高圧の時間をｔ２としたとき、ｔ２はｔ１の約４〜７倍とすると好ましい。このようにすることで、閉塞中に披炊飯物に熱量を蓄積し、閉塞ロック解除時に高圧と低圧の差分の圧力を一時に放出することができる。このとき、第一の調圧弁の弁口の径が大きいほど短時間に圧力の放出を集中できて大きな攪拌現象を起こすことができる。そこで、低圧の時間ｔ２で放出する内圧のエネルギーに対して高圧の時間ｔ１で内圧のエネルギーを蓄積することは必要な時間設定となる。このとき、放出される圧力のエネルギー量は第一の調圧弁の弁口径と高圧と低圧の差と閉塞ロック解除時間で決定され、蓄積された圧力のエネルギー量は沸騰維持工程での電力と閉塞ロック時間の積で決定することができる。すなわち、放出される圧力のエネルギーと蓄積された圧力のエネルギーとの関係が、放出される圧力のエネルギー≦蓄積された圧力のエネルギーとなるように閉塞ロック時間と閉塞ロック解除時間の設定が行われ、放出される圧力のエネルギー＞蓄積された圧力のエネルギーとなれば徐々に閉塞ロック解除時の攪拌力が弱まっていくこととなる。なお、本実施形態では、例えば高圧を５２秒、低圧を８秒で行う。
【００５４】
このロック・解除毎に、第一の調圧弁２５が間歇的に開放されて、開放時に鍋２０内の状態が加圧状態から１．０５気圧近傍まで一気に降下して鍋内に圧力変動が起こり、この圧力変動が間歇的に複数回に亘って繰り返される（図１０参照）。この間歇的な調圧弁２５の開放により、鍋２０内の圧力が大きく変動し、その度毎に鍋内に激しい沸騰現象、いわゆる突沸現象が生じて大量の泡が発生すると、同時に鍋内の中央側の米粒が鍋内の側方へ或いは逆方向への移動を繰り返して、鍋内の米粒が効率よく攪拌される。この攪拌により、米粒全体に十分な熱が加わり、加熱ムラがなくなる。また、この攪拌により、おねばも効率よく混ざり込み、米粒の周囲がこのおねばによってコーティングされる。おねばには、ご飯の旨み成分が多く含まれているので、炊き上がったご飯はこのおねばでコーティングされてより美味しいものになる。
【００５５】
また、第一の調圧弁２５が開放されても、図１０に示すように、鍋２０内の圧力は、第一の調圧弁２５の閉塞保持圧力、すなわち１．０５気圧以下に降下することがないので、この内圧降下に伴う鍋内温度の低下が最小限、すなわち、鍋２０内の温度は（１０１．１〜１０１．４℃）〜（１０３．０〜１０７．０℃）範囲の変動となるので、炊飯物の一部が冷えて炊き上がったご飯に炊飯ムラが発生することがない。
【００５６】
この沸騰維持工程において、第一の調圧弁２５が複数回に亘り開放された後、所定時間の間は、第一の調圧弁２５を閉塞ロックした状態を維持したままでこの沸騰維持工程を継続し、その後は、第一の調圧弁２５の閉塞ロックを解除して、鍋内の圧力を設定値１．０５気圧に維持して残りの沸騰維持工程を実行する（Ｓ１１０）。そして、沸騰維持工程の後半では、鍋底温度センサ１５が所定の鍋底温度（１３０℃）を検出すると、制御装置６２は加熱手段への通電を停止してむらし１工程へ移行する（Ｓ１１１）。この蒸らし１工程が終了した後に、第二の調圧弁２９を開放して（Ｓ１１２）追い炊き工程（Ｓ１１３）へ移行すると共に、加熱手段で再加熱する。この再加熱が終了すると、蒸らし２工程へ移行（Ｓ１１４）して、この炊飯メニューの一連の炊飯工程を終了する。
【００５７】
この白米・ふつうの炊飯は、沸騰維持工程において、第一の調圧弁が開成されても、この第一の調圧弁が大気圧を超える所定の圧力に保持する閉塞保持圧力を有しているので、鍋内の内圧は、この閉塞保持圧力の圧力値より下方へ降下することがない。したがって、従来技術の炊飯器が大気圧近傍まで低下することによる課題を解消して、炊飯することができる。
【００５８】
以下、炊飯メニュー「白米・あまみ」、「白米・あっさり」及び「すしめし」が選択された場合も、吸水工程、立上加熱工程、沸騰維持工程及び蒸らし工程を実行されるが、沸騰維持工程の一部が異なるのみで、他の工程は同じになっている。以下、沸騰維持工程の異なる部分を説明する。「白米・あまみ」は、図１１に示すように、沸騰維持工程の初期段階で第一の調圧弁２５が所定回数間歇的に開・閉された後に、後半が閉塞ロックして鍋内を高い圧力（１．３気圧）に保持して炊飯する。また、「白米・あっさり」は、図１２に示すように、沸騰維持工程の初期段階で第一の調圧弁２５が所定回数（白米・ふつうより多い回数）間歇的に開・閉された後に、後半が閉塞ロック解除して鍋内を低い圧力（１．０５気圧）に保持して炊飯する。さらに「すしめし」は、図１３に示すように、沸騰維持工程の初期段階で第一の調圧弁２５が所定回数（白米・ふつうより少ない回数）間歇的に開・閉された後に、後半が閉塞ロック解除して鍋内を低い圧力（１．０５気圧）に保持して炊飯する。
【００５９】
以上と纏めると、図１１〜図１３に示すように、白米・あまみの炊飯では、圧力の切り替えを、複数回行った後、閉塞ロック機構を動作させ１．３気圧前後に保持させる。さらに白米・あっさりの炊飯では、１．３気圧前後に保持させる時間を短く設定している。すしめしを炊飯する場合は、沸騰初期段階において同様に圧力の切り替えを行った後、閉塞ロック機構を開放させ１．０５気圧前後に保持させ炊飯を終了させる。本来すしめしは、硬めに炊くのが一般的であり、従来、ある圧力式炊飯器では圧力を大気圧に戻して炊飯を行っている。このため硬めには炊きあがるものの、芯が残った状態で炊きあがる場合もあった。本実施例では１．０５気圧前後に保持させることにより芯まで加熱され芯が残らない硬めの炊飯が可能になる。
【００６０】
本発明の炊飯器によれば、このように多彩なメニュー編成が可能となる。また、高低の２つの調圧弁を持ち、低い圧力の調圧弁を閉塞解除させていることで、高い調圧弁は低い調圧弁により低い圧力に低下する時は負圧となり排気口が閉塞状態になることで、炊飯物で排気口が詰まる事が無く、安全性においても有利である。本実施例は、高低の２つの調圧弁としたが、さらに複数の調圧弁を設けることも可能であり、さらに多彩なメニュー編成が出来る。
【００６１】
なお、本実施形態では、圧力の高低の時間及び閉塞ロックのロック又はロック解除の制御により、多彩なメニュー編成ができることを説明した。しかし、これに限らず、鍋内の圧力を高圧、低圧又は大気圧のいずれか一定に制御し、ヒータの電力の高低を制御することで、さらに多彩なメニュー編成とすることもできる。メニュー例としては、高圧力と高沸騰電力とで炊飯した場合、甘めでしっかりした歯ごたえのあるご飯となる。また、高圧力と低沸騰電力とで炊飯した場合、甘みが強くなりもちもち感のあるご飯となる。また、低圧力と高沸騰電力で炊飯した場合、あっさりした味でしっかりした歯ごたえのご飯となる。また、低圧力と低沸騰電力で炊飯した場合、あっさりした甘みでやわらかいご飯となる。また大気圧と高沸騰電力で炊飯した場合、とってもあっさりした味でしっかりした歯ごたえのご飯となる。なお、大気圧と低沸騰電力で炊飯した場合は、使用する電力が抑えられるので省エネで炊飯を行うことができる。なお、ヒータの電力の高低としては、例えば、低沸騰電力を６００Ｗ、高沸騰電力を１２００Ｗとすることができるが、これに限らず電力の高低があれば炊飯器の性能等による任意の電力で行うことができる。
【産業上の利用可能性】
【００６２】
以上のように、本発明は複数種類の圧力を駆使して炊飯できるので、目的に応じて多種類のコースを持つ炊飯メニューを持たせることが出来る。
【符号の説明】
【００６３】
１０              炊飯器
１１              炊飯器本体
１２              外部ケース
１３              内部ケース
１４ａ、１４ｂ    ヒータ
１５              鍋底温度センサ（鍋底温度検出手段）
１７              鎖錠爪
１８              解除釦
２１              蓋体
２２              内蓋
２５              第一の調圧弁
２６              弁座
２６ａ            弁口
２８              調圧ボール
２９              第一の調圧弁
３０              調圧ボール
３０ａ’          弁口
３３              中蓋
３８              第一調圧弁閉塞ロック機構
３９              ロック・解除作動部材
４２              揺動アーム
４６              駆動装置
５０ａ            スライド台
５１              細金属線（緩衝装置）
５６              スライド枠体
５８              外蓋
５９              制御パネル
６０              おねば貯留タンク
６１ｂ            メニュー設定キー
６２              制御装置
ＰＶ１            第１の内圧調整装置
ＰＶ２            第２の内圧調整装置
【図１】
0005503045.tif 000002
【図２】
0005503045.tif 000003
【図３】
0005503045.tif 000004
【図４】
0005503045.tif 000005
【図５】
0005503045.tif 000006
【図６】
0005503045.tif 000007
【図７】
0005503045.tif 000008
【図８】
0005503045.tif 000009
【図９】
0005503045.tif 000010
【図１０】
0005503045.tif 000011
【図１１】
0005503045.tif 000012
【図１２】
0005503045.tif 000013
【図１３】
0005503045.tif 000014